(57)【特許請求の範囲】
【請求項１】
周囲に複数の螺旋状の溝部が形成された円筒状部材と前記円筒状部材の前記溝部同士の間に螺旋状に突出して設けられた清掃体とを有する回転ブラシと、
底面に吸込口が設けられ、内部に前記回転ブラシを回転可能に収容するとともに、その一側面に設けられた開口部を通して前記回転ブラシを軸方向に移動させることにより着脱可能なケース部と、
前記吸込口内に、前記回転ブラシと同一の軸について回動自在に設けられたリング状の塵埃除去具と、
前記塵埃除去具の内周に設けられ、前記開口部の反対側へと突出した形状を呈し、前記溝部と係合する塵埃除去爪部と、
前記塵埃除去具の内周において前記塵埃除去爪部と滑らかに連続して設けられ、前記開口部に向けて次第に細くなるテーパー形状のテーパー状リブと、を備え、
前記テーパー状リブは、前記開口部側に頂点を向け、前記回転ブラシの軸に対して所定の角度をなして斜めに傾いた略斜円錐形の一部分からなるテーパー形状であることを特徴とする電気掃除機用吸込具。
【請求項２】
前記塵埃除去爪部及び前記テーパー状リブは、前記溝部のそれぞれに対応して前記溝部と同数の複数設けられ、
複数の前記テーパー状リブのうちの一の前記テーパー状リブの頂点から前記塵埃除去具の前記開口部側の端部までの距離は、その他の前記テーパー状リブの頂点から前記塵埃除去具の前記開口部側の端部までの距離よりも短いことを特徴とする請求項１に記載の電気掃除機用吸込具。
【発明の詳細な説明】
【技術分野】
【０００１】
この発明は、電気掃除機用吸込具に関するものである。
【背景技術】
【０００２】
従来における内部に回転ブラシを有する電気掃除機用吸込具においては、回転ブラシに絡み付いた糸くずや髪の毛等の糸状の屑を容易に除去することができるよう、回転ブラシを吸込具から着脱することができる回転ブラシ着脱機構を有するものがある。このような回転ブラシ着脱機構としては、回転ブラシの軸方向の一端に回転駆動力を伝達するための継手機構を、回転ブラシの他端側に回転ブラシを回転自在に軸支する軸受部を、それぞれ備え、この軸受部の吸込具への係合部における軸受押さえ部材を開閉することにより、回転ブラシを着脱することができるようにしたものが知られている（例えば、特許文献１や特許文献２参照）。
【０００３】
また、従来における回転ブラシ着脱機構としては、回転ブラシの軸方向の一端に回転駆動力を伝達するための継手機構を備え、回転ブラシの他端側を回転自在に軸支する軸受部を吸込具の側面において着脱可能に設けて、回転ブラシを軸方向の前記他端側に軸方向に沿って引き抜くことができるようにしたものも、従来において知られている。
【０００４】
そして、回転ブラシを軸方向に引き抜くことができるように構成された従来の回転ブラシ着脱機構においては、例えば図２１に示すような、リング状の塵埃除去具１０を備えたものが知られている。この塵埃除去具１０は、回転ブラシを引き抜くための吸込具のケース部側面の開口部に回動自在に設けられており、回転ブラシの周囲に形成された複数の螺旋状の溝に係合する塵埃除去爪部１０ａを有している。この塵埃除去爪部１０ａは、回転ブラシを引き抜く方向とは反対方向に突出しており、回転ブラシを引き抜く際に、回転ブラシに絡み付いた糸状の屑を除去することができる。
【先行技術文献】
【特許文献】
【０００５】
【特許文献１】特許第３００７７５９号公報
【特許文献２】特許第４２５３６７０号公報
【発明の概要】
【発明が解決しようとする課題】
【０００６】
このような図２１に示すような塵埃除去具を有する従来の電気掃除機用吸込具においては、回転ブラシを吸込具のケース部に挿入装着する際に、塵埃除去具の塵埃除去爪部を回転ブラシの溝部に係合させなければならない。しかし、塵埃除去具及び回転ブラシは軸対称な形状をしており一目で塵埃除去具の塵埃除去爪部の位置と回転ブラシの溝部の位置とが合っているかを確認することは容易ではなく、塵埃除去具の略平面部分と回転ブラシの挿入端面とが面接触してしまい、回転ブラシの滑らかな挿入が妨げられてしまうという課題がある。
【０００７】
この発明は、このような課題を解決するためになされたもので、回転ブラシを塵埃除去具に係合させながらケース部に挿入する際に、塵埃除去具の塵埃除去爪部と回転ブラシの溝部との速やかな係合を促し、滑らかに挿入することができる電気掃除機用吸込具を得るものである。
【課題を解決するための手段】
【０００８】
この発明に係る電気掃除機用吸込具においては、周囲に複数の螺旋状の溝部が形成された円筒状部材と前記円筒状部材の前記溝部同士の間に螺旋状に突出して設けられた清掃体とを有する回転ブラシと、底面に吸込口が設けられ、内部に前記回転ブラシを回転可能に収容するとともに、その一側面に設けられた開口部を通して前記回転ブラシを軸方向に移動させることにより着脱可能なケース部と、前記吸込口内に、前記回転ブラシと同一の軸について回動自在に設けられたリング状の塵埃除去具と、前記塵埃除去具の内周に設けられ、前記開口部の反対側へと突出した形状を呈し、前記溝部と係合する塵埃除去爪部と、前記塵埃除去具の内周において前記塵埃除去爪部と滑らかに連続して設けられ、前記開口部に向けて次第に細くなるテーパー形状のテーパー状リブと、を備え、前記テーパー状リブは、前記開口部側に頂点を向け、前記回転ブラシの軸に対して所定の角度をなして斜めに傾いた略斜円錐形の一部分からなるテーパー形状である構成とする。
【発明の効果】
【０００９】
この発明に係る電気掃除機用吸込具においては、回転ブラシを塵埃除去具に係合させながらケース部に挿入する際に、塵埃除去具の塵埃除去爪部と回転ブラシの溝部との速やかな係合を促し、滑らかに挿入することができるという効果を奏する。
【図面の簡単な説明】
【００１０】
【図１】この発明の実施の形態１に係る電気掃除機の全体構成を示す図である。
【図２】この発明の実施の形態１に係る吸込具本体の斜視図である。
【図３】この発明の実施の形態１に係る吸込具本体の側面図である。
【図４】この発明の実施の形態１に係る吸込具本体の側面断面図である。
【図５】この発明の実施の形態１に係る吸込具本体の正面断面図である。
【図６】この発明の実施の形態１に係る吸込具本体の底面図である。
【図７】この発明の実施の形態１に係る吸込具本体から回転ブラシを取り外した状態を示す底面図である。
【図８】この発明の実施の形態１に係る吸込具本体から回転ブラシを取り外した状態を示す斜視図である。
【図９】この発明の実施の形態１に係る吸込具本体から回転ブラシを取り外した状態の要部を拡大した部分断面図である。
【図１０】この発明の実施の形態１に係る回転ブラシを取り外した吸込具本体を側面後方から見た斜視図である。
【図１１】この発明の実施の形態１に係る回転ブラシ及び塵埃除去具の斜視図である。
【図１２】この発明の実施の形態１に係る回転ブラシ及び塵埃除去具の断面図である。
【図１３】この発明の実施の形態１に係る回転ブラシ及び回転ブラシに係合した塵埃除去具を示す斜視図である。
【図１４】この発明の実施の形態１に係る塵埃除去具に回転ブラシを係合させる直前の状態の要部を拡大した部分断面図である。
【図１５】この発明の実施の形態１に係る塵埃除去具の斜視図である。
【図１６】この発明の実施の形態１に係る塵埃除去具の斜視断面図である。
【図１７】この発明の実施の形態１に係る塵埃除去具を構成する着脱開口側部品の斜視図である。
【図１８】この発明の実施の形態１に係る塵埃除去具を構成する塵埃除去爪部側部品の斜視図である。
【図１９】この発明の実施の形態１に係る図１７中の矢印Ａの示す方向から見た矢視図である。
【図２０】この発明の実施の形態１に係る図１７中の矢印Ｂの示す方向から見た矢視図である。
【図２１】従来における塵埃除去具の斜視図である。
【発明を実施するための形態】
【００１１】
この発明を添付の図面に従い説明する。各図を通じて同符号は同一部分又は相当部分を示しており、その重複説明は適宜に簡略化又は省略する。
【００１２】
実施の形態１．
図１から図２０は、この発明の実施の形態１に係るもので、図１は電気掃除機の全体構成を示す図、図２は吸込具本体の斜視図、図３は吸込具本体の側面図、図４は吸込具本体の側面断面図、図５は吸込具本体の正面断面図、図６は吸込具本体の底面図、図７は吸込具本体から回転ブラシを取り外した状態を示す底面図、図８は吸込具本体から回転ブラシを取り外した状態を示す斜視図、図９は吸込具本体から回転ブラシを取り外した状態の要部を拡大した部分断面図、図１０は回転ブラシを取り外した吸込具本体を側面後方から見た斜視図、図１１は回転ブラシ及び塵埃除去具の斜視図、図１２は回転ブラシ及び塵埃除去具の断面図、図１３は回転ブラシ及び回転ブラシに係合した塵埃除去具を示す斜視図、図１４は塵埃除去具に回転ブラシを係合させる直前の状態の要部を拡大した部分断面図、図１５は塵埃除去具の斜視図、図１６は塵埃除去具の斜視断面図、図１７は塵埃除去具を構成する挿入開口側部品の斜視図、図１８は塵埃除去具を構成する塵埃除去爪部側部品の斜視図、図１９は図１７中の矢印Ａの示す方向から見た矢視図、図２０は図１７中の矢印Ｂの示す方向から見た矢視図である。
【００１３】
図１において、１は、吸込具本体である。この吸込具本体１の底面には、床面等の被清掃面上のごみや塵埃を含んだ空気（含塵空気）を吸い込むための吸込口１ａが設けられている。吸込具本体１には、中空円筒状の吸引パイプ２の一端が接続されている。そして、この吸引パイプ２の他端には、可撓性を有する蛇腹状のホース３の一端が、中途で折曲された形状の接続パイプを介して接続されている。
【００１４】
このホース３の他端は、掃除機本体４に接続されている。掃除機本体４内には、掃除機本体４の外部から内部に流入した含塵空気中のごみ（塵埃）を捕捉して集める集塵部４ａが設けられている。そして、吸込具本体１の吸込口１ａから掃除機本体４の集塵部４ａまでが、吸引パイプ２及びホース３を経由して連通され、吸込具本体１、吸引パイプ２及びホース３は、含塵空気を掃除機本体４の外部から内部に流入させるための吸引経路を構成している。
【００１５】
また、掃除機本体４には、電動送風機４ｂが内蔵されている。この電動送風機４ｂは、吸込具本体１の吸込口１ａから吸引パイプ２及びホース３を経由して掃除機本体４の集塵部４ａへと含塵空気を吸引する吸引動作を駆動するためのものである。なお、吸引パイプ２の他端側には、掃除機本体４の運転を制御する操作スイッチが配置された把持部５が設けられている。電気掃除機の使用者は、使用時においてこの把持部５を持つことにより掃除機本体４を引き回す。
【００１６】
図２から図６は吸込具本体１を示すものである。吸込具本体１は、底面に吸込口１ａが設けられたケース部６と、このケース部６の後部に接続されたエルボー継手７と、を有している。吸込具本体１は、エルボー継手７を介して吸引パイプ２に着脱自在に接続される。このエルボー継手７は、ケース部に対して上下方向に所定の角度で傾動が可能に取り付けられるとともに、さらに、前記傾動の軸に対して直交する軸を中心にして回動自在な構造を有している。
【００１７】
また、吸込具本体１のケース部６の内部の前方側寄りには、被清掃面上の塵埃を掻き取るための回転ブラシ８が、吸込口１ａを臨むようにして回転可能に設けられている。回転ブラシ８の回転は、ケース部６に内蔵された図示しないモータにより駆動される。このモータの回転は、ケース部６の左右の一側に設けられた継手機構９を介して回転ブラシ８へと伝達される。
【００１８】
ケース部６の左右の他側には、ケース部６から回転ブラシ８を着脱するための回転ブラシ着脱用開口部６ａが設けられている。回転ブラシ８をこの回転ブラシ着脱用開口部６ａに通すことにより、ケース部６に対して回転ブラシ８を軸方向に抜き差しして脱着することが可能である。
【００１９】
この回転ブラシ８の着脱について図６から図８を参照しながら説明する。まず、ケース部６に回転ブラシ８が装着された状態において、回転ブラシ８の軸方向の一端は、継手機構９と係合して軸支されている。そして、回転ブラシ８の軸方向の他端は、回転ブラシ着脱部８ａにより軸支されており、この回転ブラシ着脱部８ａは回転ブラシ着脱用開口部６ａと係合して保持されている。
【００２０】
ケース部６に回転ブラシ８が装着された状態では、回転ブラシ着脱部８ａは回転ブラシ着脱用開口部６ａにおいてケース部６の側面に露出しており、この回転ブラシ着脱部８ａに対して所定の操作を行うことによりロックを外して回転ブラシ８の取り外しが可能な状態となる。そして、回転ブラシ８をその回転軸方向に引き抜くことにより、回転ブラシ８をケース部６から取り外すことができる。
【００２１】
また、逆に、回転ブラシ８の反回転ブラシ着脱部８ａ側の端部から回転ブラシ着脱用開口部６ａに挿入し、当該端部を継手機構９に係合させた上で回転ブラシ着脱部８ａを回転ブラシ着脱用開口部６ａに係合させることにより、ケース部６に回転ブラシ８を装着することができる。
【００２２】
図５から図１０に示すように、吸込口１ａ内の回転ブラシ着脱用開口部６ａ側の端部には、リング状の塵埃除去具１０が回動自在に取り付けられている。この塵埃除去具１０は、その内径が円筒状部材８ｂの外径とほぼ同等かやや大きく、その外径が清掃体８ｄの外径とほぼ同等かやや小さいリング状の部材である。そして、回転ブラシ８の回転軸と同一の軸を中心として回動自在に取り付けられている。塵埃除去具１０は、塵埃除去具１０のリング内を回転ブラシ８が貫通するようにして、回転ブラシ８と係合する。
【００２３】
回転ブラシ８は、図１１に示すように、周囲に複数の螺旋状の溝部８ｃが形成された円筒状部材８ｂと、この円筒状部材８ｂの溝部８ｃ同士の間に螺旋状に突出して設けられた清掃体８ｄとから主に構成されている。清掃体８ｄは被清掃面上の塵埃をかき取るためのものであり、ゴム等の弾性を有する素材からなるブレードや繊維質のブラシ毛が用いられる。なお、ここでは、回転ブラシ８に設けられている溝部８ｃ及び清掃体８ｄの個数は、それぞれ４つである。しかし、この個数は４に限られず、２以上であればいくつであってもよい。
【００２４】
塵埃除去具１０は、図１５や図１６に示すように、その内周に、塵埃除去爪部１０ａ及びテーパー状リブ１０ｂが、それぞれ回転ブラシ８の溝部８ｃと同数、各溝部８ｃに対応して設けられている。塵埃除去爪部１０ａのそれぞれは、塵埃除去具１０の内周から回転ブラシ着脱用開口部６ａの反対側へと突出した形状である。そして、塵埃除去具１０の内周内の部分は同一の幅寸法であり、突出部分は先端にいくにつれて次第に細くなるよう形成されている。
【００２５】
テーパー状リブ１０ｂのそれぞれは、塵埃除去具１０の内周から突出した部分をもたず、回転ブラシ着脱用開口部６ａ側に頂点を向けた略斜円錐形の一部分からなるテーパー形状である。この略斜円錐形とは、円錐の頂点と底面の中心とを結ぶ軸が、回転ブラシ８の回転軸に対して所定の角度をなして斜めに傾いた形状となっていることを意味している。
【００２６】
塵埃除去具１０は、図１６に示すように、着脱開口側部品１１と、塵埃除去爪部側部品１２と、リング状部材１３とから構成されている。着脱開口側部品１１は、図１７に示すように、リング形状の内周にテーパー状リブ１０ｂが設けられた部品である。また、塵埃除去爪部側部品１２は、図１８に示すように、リング形状の内周に塵埃除去爪部１０ａが設けられた部品である。そして、これらの着脱開口側部品１１及び塵埃除去爪部側部品１２の外周にリング状部材１３を嵌合した状態で、着脱開口側部品１１と塵埃除去爪部側部品１２とを接着することにより、塵埃除去具１０が構成される。
【００２７】
着脱開口側部品１１を軸方向から見た図を図１９及び図２０に示す。軸方向から見たテーパー状リブ１０ｂの外形は、回転ブラシ８の溝部８ｃの断面と略同形状であり、塵埃除去具１０内に回転ブラシ８を通した際に、テーパー状リブ１０ｂが滑らかに回転ブラシ８の溝部８ｃに係合するようになっている。また、軸方向から見た場合の塵埃除去爪部１０ａの外形も、テーパー状リブ１０ｂのものと同一であり、塵埃除去爪部１０ａとテーパー状リブ１０ｂの接続部分は滑らかに連続している。
【００２８】
このように構成された電気掃除機用吸込具において、ケース部６に回転ブラシ８が装着された状態においては、回転ブラシ８は、塵埃除去具１０内を貫通しており、溝部８ｃのそれぞれに対して塵埃除去爪部１０ａが係合している。そして、回転ブラシ着脱部８ａを持って回転ブラシ着脱用開口部６ａから回転ブラシ８を引き出すと、塵埃除去爪部１０ａが螺旋状の溝部８ｃに案内されて回転ブラシ８及び塵埃除去具１０の一方又は両方が回動しながら、塵埃除去爪部１０ａにより回転ブラシ８に絡んだ糸状の屑が除去される。
【００２９】
また、引き出した回転ブラシ８をケース部６に装置する場合には、継手機構９と係合する側の端部から回転ブラシ８を回転ブラシ着脱用開口部６ａに挿入し、次いで、同端部を塵埃除去具１０内に挿入する。この際は、最終的に塵埃除去爪部１０ａが溝部８ｃに係合するように回転ブラシ８を塵埃除去具１０内に挿入しなければならない。ここで、たとえ塵埃除去爪部１０ａの位置と溝部８ｃの位置とが合っていなくても、テーパー状リブ１０ｂの頂点部分が溝部８ｃ内のいずれかに位置していれば、その後、さらに回転ブラシ８を挿入するとテーパー状リブ１０ｂの作用により塵埃除去具１０が回動して、半ば自動的に塵埃除去爪部１０ａと溝部８ｃとが係合した状態となる（図１１から図１４も参照）。
【００３０】
従って、回転ブラシ８を塵埃除去具１０に係合させながらケース部６に挿入する際に、塵埃除去具１０の塵埃除去爪部１０ａと回転ブラシ８の挿入端面とが引っ掛かることを防止して、滑らかに挿入することができる。
【００３１】
また、テーパー状リブ１０ｂの形状を、回転ブラシ８の回転軸に対して所定の角度をなして斜めに傾いた略斜円錐形の一部分からなるものとしたことで、たとえテーパー状リブ１０ｂの頂点が回転ブラシ８の挿入端面に当たったとしても、そのまま挿入方向に力を加えることで塵埃除去具１０が回動しやすくなり、滑らかに塵埃除去爪部１０ａと溝部８ｃとを係合させて回転ブラシ８を挿入することが可能である。
【００３２】
なお、ここでは、回転ブラシ８の回転が、電力の供給を受けて動作するモータにより駆動される例について説明したが、回転ブラシ８の回転がモータ以外の動力源により駆動されるものであってもよい。このモータ以外の動力源としては、例えば、電動送風機４ｂにより駆動される吸引風を利用したタービン等が考えられる。
【００３３】
また、塵埃除去具１０の回転ブラシ着脱用開口部６ａ側の端部から各テーパー状リブ１０ｂの頂点までの距離は、全て等しくしてもよいし、ある一のテーパー状リブ１０ｂの頂点までの距離が、その他のテーパー状リブ１０ｂの頂点までの距離よりも短くなるように（ある一のテーパー状リブ１０ｂの軸方向の長さがその他のテーパー状リブ１０ｂの軸方向の長さよりも長くなるように）してもよい。
【００３４】
このようにすることで、回転ブラシ８をケース部６に挿入する際に、回転ブラシ８の挿入端面と当接するテーパー状リブ１０ｂが１つとなるために、テーパー状リブ１０ｂの作用をより得やすくなり、さらに、滑らかに塵埃除去爪部１０ａと溝部８ｃとを係合させて回転ブラシ８を挿入することができる。
【００３５】
以上のように構成された電気掃除機用吸込具は、周囲に複数の螺旋状の溝部が形成された円筒状部材と円筒状部材の溝部同士の間に螺旋状に突出して設けられた清掃体とを有する回転ブラシと、底面に吸込口が設けられ、内部に回転ブラシを回転可能に収容するとともに、その一側面に設けられた開口部を通して回転ブラシを軸方向に移動させることにより着脱可能なケース部と、吸込口内に、回転ブラシと同一の軸について回動自在に設けられたリング状の塵埃除去具と、塵埃除去具の内周に設けられ、前記開口部の反対側へと突出した形状を呈し、前記溝部と係合する塵埃除去爪部と、塵埃除去具の内周において塵埃除去爪部と滑らかに連続して設けられ、前記開口部に向けて次第に細くなるテーパー形状のテーパー状リブと、を備えている。
【００３６】
このため、回転ブラシを塵埃除去具に係合させながらケース部に挿入する際に、塵埃除去具の塵埃除去爪部と回転ブラシの溝部との速やかな係合を促し、滑らかに挿入することができる。
【符号の説明】
【００３７】
１    吸込具本体
１ａ  吸込口
２    吸引パイプ
３    ホース
４    掃除機本体
４ａ  集塵部
４ｂ  電動送風機
５    把持部
６    ケース部
６ａ  回転ブラシ着脱用開口部
７    エルボー継手
８    回転ブラシ
８ａ  回転ブラシ着脱部
８ｂ  円筒状部材
８ｃ  溝部
８ｄ  清掃体
９    継手機構
１０    塵埃除去具
１０ａ  塵埃除去爪部
１０ｂ  テーパー状リブ
１１    着脱開口側部品
１２    塵埃除去爪部側部品
１３    リング状部材
【図１】
0005673419.tif 000002
【図２】
0005673419.tif 000003
【図３】
0005673419.tif 000004
【図４】
0005673419.tif 000005
【図５】
0005673419.tif 000006
【図６】
0005673419.tif 000007
【図７】
0005673419.tif 000008
【図８】
0005673419.tif 000009
【図９】
0005673419.tif 000010
【図１０】
0005673419.tif 000011
【図１１】
0005673419.tif 000012
【図１２】
0005673419.tif 000013
【図１３】
0005673419.tif 000014
【図１４】
0005673419.tif 000015
【図１５】
0005673419.tif 000016
【図１６】
0005673419.tif 000017
【図１７】
0005673419.tif 000018
【図１８】
0005673419.tif 000019
【図１９】
0005673419.tif 000020
【図２０】
0005673419.tif 000021
【図２１】
0005673419.tif 000022